(57)【特許請求の範囲】
【請求項１】
先端側に噴霧ノズルが設けられるとともに、基端側に開口部が設けられるバレルと、
前記開口部を通して前記バレルの内部に一端側から差し込まれ、前記バレルの内部において移動可能なプランジャーと、
前記バレルに取り付けられ、前記バレルに対して前記プランジャーの移動方向における移動が規制されたストッパー部材と、を備え、
前記ストッパー部材は、
前記プランジャーの移動方向に対して交差する方向において前記プランジャーに向かって延在する第１延在部と、
前記プランジャーの移動方向に対して交差する方向において前記プランジャーを挟んで前記第１延在部の反対側から前記プランジャーに向かって延在する第２延在部と、を含み、
前記第１延在部および前記第２延在部は、前記第１延在部および前記第２延在部の間に前記プランジャーを配置した状態で、前記プランジャーの移動方向に対して交差する方向に一体的に進退移動可能に構成され、
前記プランジャーは、前記プランジャーの一端と前記プランジャーの他端との間に設けられた、第１突出部および第２突出部を含み、
第１投与のために前記プランジャーが前記バレルの内部に向かって押し込まれるにつれて、前記第１突出部は前記第１延在部に摺接し、前記第１突出部との摺接によって前記第１延在部は後退移動し、前記第１延在部の後退移動によって前記第２延在部は前進移動し、前記第２突出部は、前記第２延在部の前進移動によって前記第２突出部の進行方向前方に移動した前記第２延在部に当接し、前記第２突出部が前記第２延在部に当接することによって、前記プランジャーの移動が停止するとともに前記第１投与が完了し、
前記第１延在部が前進移動するとともに前記第２延在部が後退移動し、前記第２延在部の後退移動によって前記第２突出部と前記第２延在部との相互の当接状態が解除された状態で、第２投与のために前記プランジャーは前記バレルの内部に向かってさらに押し込まれる、
鼻腔投与容器。
【請求項２】
前記プランジャーは、前記プランジャーの一端と前記プランジャーの他端との間において前記第２突出部よりも前記プランジャーの一端側に設けられた第３突出部をさらに含み、
前記第１投与の前のプライミング動作のために前記プランジャーが前記バレルの内部に向かって押し込まれることによって、前記第３突出部は前記第２延在部に当接し、前記第３突出部が前記第２延在部に当接することによって、前記プランジャーの移動が停止するとともに前記プライミング動作が完了する、
請求項１に記載の鼻腔投与容器。
【請求項３】
前記プランジャーは、前記プランジャーの一端と前記プランジャーの他端との間において前記第１突出部よりも前記プランジャーの一端側に設けられた第４突出部をさらに含み、
前記第１投与の前の前記プライミング動作のために前記プランジャーが前記バレルの内部に向かって押し込まれるにつれて、前記第４突出部は前記第１延在部に摺接し、前記第４突出部との摺接によって前記第１延在部は後退移動し、前記第１延在部の後退移動によって前記第２延在部は前進移動し、前記第３突出部は、前記第２延在部の前進移動によって前記第３突出部の進行方向前方に移動した前記第２延在部に当接する、
請求項２に記載の鼻腔投与容器。
【請求項４】
前記第１延在部の一部は、前記プランジャーが前記バレルに対して引き抜かれる際、前記第１突出部に押圧されることによって弾性変形する、
請求項１から３のいずれかに記載の鼻腔投与容器。
【発明の詳細な説明】
【技術分野】
【０００１】
本発明は、薬液を鼻腔に投与するための鼻腔投与容器に関する。
【背景技術】
【０００２】
特開２００１−１３７３４４号公報（特許文献１）に開示されるように、鼻腔投与容器は、左右の鼻腔に薬液を投与するために使用される。鼻腔投与容器が使用される際には、まず、鼻腔投与容器が一方の鼻腔に挿入される。この状態で、一方の鼻腔に所定の量の薬液が投与される。次に、鼻腔投与容器が他方の鼻腔に挿入される。この状態で、他方の鼻腔に残りの薬液が投与される。
【０００３】
鼻腔投与容器としては、薬液を左右の鼻腔に投与する場合に、簡単且つ適切に所定の量（たとえば半分ずつ）の薬液を各鼻腔に投与することが望まれる。
【先行技術文献】
【特許文献】
【０００４】
【特許文献１】特開２００１−１３７３４４号公報
【発明の概要】
【発明が解決しようとする課題】
【０００５】
本発明は、より簡単且つ適切に、薬液を左右の鼻腔に投与することができる鼻腔投与容器を提供することを目的とする。
【課題を解決するための手段】
【０００６】
本発明に基づく鼻腔投与容器は、先端側に噴霧ノズルが設けられるとともに、基端側に開口部が設けられるバレルと、上記開口部を通して上記バレルの内部に一端側から差し込まれ、上記バレルの内部において移動可能なプランジャーと、上記バレルに取り付けられ、上記バレルに対して上記プランジャーの移動方向における移動が規制されたストッパー部材と、を備え、上記ストッパー部材は、上記プランジャーの移動方向に対して交差する方向において上記プランジャーに向かって延在する第１延在部と、上記プランジャーの移動方向に対して交差する方向において上記プランジャーを挟んで上記第１延在部の反対側から上記プランジャーに向かって延在する第２延在部と、を含み、上記第１延在部および上記第２延在部は、上記第１延在部および上記第２延在部の間に上記プランジャーを配置した状態で、上記プランジャーの移動方向に対して交差する方向に一体的に進退移動可能に構成され、上記プランジャーは、上記プランジャーの一端と上記プランジャーの他端との間に設けられた、第１突出部および第２突出部を含み、第１投与のために上記プランジャーが上記バレルの内部に向かって押し込まれるにつれて、上記第１突出部は上記第１延在部に摺接し、上記第１突出部との摺接によって上記第１延在部は後退移動し、上記第１延在部の後退移動によって上記第２延在部は前進移動し、上記第２突出部は、上記第２延在部の前進移動によって上記第２突出部の進行方向前方に移動した上記第２延在部に当接し、上記第２突出部が上記第２延在部に当接することによって、上記プランジャーの移動が停止するとともに上記第１投与が完了し、上記第１延在部が前進移動するとともに上記第２延在部が後退移動し、上記第２延在部の後退移動によって上記第２突出部と上記第２延在部との相互の当接状態が解除された状態で、第２投与のために上記プランジャーは上記バレルの内部に向かってさらに押し込まれる。
【０００７】
好ましくは、上記プランジャーは、上記プランジャーの一端と上記プランジャーの他端との間において上記第２突出部よりも上記プランジャーの一端側に設けられた第３突出部をさらに含み、上記第１投与の前のプライミング動作のために上記プランジャーが上記バレルの内部に向かって押し込まれることによって、上記第３突出部は上記第２延在部に当接し、上記第３突出部が上記第２延在部に当接することによって、上記プランジャーの移動が停止するとともに上記プライミング動作が完了する。
【０００８】
好ましくは、上記プランジャーは、上記プランジャーの一端と上記プランジャーの他端との間において上記第１突出部よりも上記プランジャーの一端側に設けられた第４突出部をさらに含み、上記第１投与の前の上記プライミング動作のために上記プランジャーが上記バレルの内部に向かって押し込まれるにつれて、上記第４突出部は上記第１延在部に摺接し、上記第４突出部との摺接によって上記第１延在部は後退移動し、上記第１延在部の後退移動によって上記第２延在部は前進移動し、上記第３突出部は、上記第２延在部の前進移動によって上記第３突出部の進行方向前方に移動した上記第２延在部に当接する。
【０００９】
好ましくは、上記第１延在部の一部は、上記プランジャーが上記バレルに対して引き抜かれる際、上記第１突出部に押圧されることによって弾性変形する。
【発明の効果】
【００１０】
本発明によれば、より簡単且つ適切に、薬液を左右の鼻腔に投与することができる鼻腔投与容器を得ることが可能となる。
【図面の簡単な説明】
【００１１】
【図１】実施の形態における鼻腔投与容器を示す斜視図である。
【図２】実施の形態における鼻腔投与容器を示す断面図である。
【図３】図２中におけるＩＩＩ−ＩＩＩ線に沿った矢視断面図である。
【図４】実施の形態における鼻腔投与容器の分解した状態を示す断面図である。
【図５】実施の形態における鼻腔投与容器に用いられるバレルの基端側およびストッパー部材を示す斜視図である。
【図６】実施の形態における鼻腔投与容器に用いられるバレルの基端側およびストッパー部材を示す底面図である。
【図７】実施の形態における鼻腔投与容器に用いられるプランジャー（リブ片）を示す斜視図である。
【図８】実施の形態における鼻腔投与容器の第１状態を示す断面図である。
【図９】実施の形態における鼻腔投与容器の第２状態を示す断面図である。
【図１０】実施の形態における鼻腔投与容器の第３状態を示す断面図である。
【図１１】実施の形態における鼻腔投与容器の第４状態を示す断面図である。
【図１２】実施の形態における鼻腔投与容器の第５状態を示す断面図である。
【図１３】実施の形態における鼻腔投与容器の第６状態を示す断面図である。
【図１４】実施の形態における鼻腔投与容器の第７状態を示す断面図である。
【図１５】実施の形態における鼻腔投与容器の第８状態を示す断面図である。
【図１６】実施の形態における鼻腔投与容器の第９状態を示す断面図である。
【図１７】実施の形態における鼻腔投与容器の第１０状態を示す断面図である。
【図１８】実施の形態における鼻腔投与容器の第１１状態を示す断面図である。
【図１９】実施の形態における鼻腔投与容器の第１２状態を示す断面図である。
【図２０】実施の形態における鼻腔投与容器の第１３状態を示す断面図である。
【図２１】実施の形態における鼻腔投与容器の第１４状態を示す断面図である。
【図２２】実施の形態における鼻腔投与容器の第１５状態を示す断面図である。
【発明を実施するための形態】
【００１２】
本発明に基づいた実施の形態について、以下、図面を参照しながら説明する。実施の形態の説明において、個数、量などに言及する場合、特に記載がある場合を除き、本発明の範囲は必ずしもその個数、量などに限定されない。実施の形態の説明において、同一の部品、相当部品に対しては、同一の参照番号を付し、重複する説明は繰り返さない場合がある。
【００１３】
図１〜図４を参照して、実施の形態における鼻腔投与容器１００について説明する。図１は、実施の形態における鼻腔投与容器１００を示す斜視図である。図２は、鼻腔投与容器１００を示す断面図である。図３は、図２中におけるＩＩＩ−ＩＩＩ線に沿った矢視断面図である。図４は、鼻腔投与容器１００の分解した状態を示す断面図である。
【００１４】
図１〜図４に示すように、鼻腔投与容器１００は、バレル１０、プランジャー２０、およびストッパー部材３０を備える。
【００１５】
（バレル１０）
図１〜図４に示すように、バレル１０は、略筒状に形成される。バレル１０は、先端１０ａおよび基端１０ｂ（図４参照）を有する。先端１０ａ側には、開口部１１が設けられる。基端１０ｂ側には、開口部１２が設けられる。開口部１１および開口部１２は、バレル１０の内部１０ｓを通して互いに連通している。
【００１６】
バレル１０の内部１０ｓに、薬液が貯留される。バレル１０の先端１０ａ側には、噴出口１９を有する噴霧ノズル１８（図１参照）が設けられる（矢印ＤＲ１８参照）。便宜上、噴霧ノズル１８は、図１にのみ記載される。
【００１７】
図５は、バレル１０の基端１０ｂ側およびストッパー部材３０を示す斜視図である。図５においては、ストッパー部材３０がバレル１０から取り外されている。
【００１８】
図５に示すように、バレル１０の基端１０ｂ側には、フランジ部１５が設けられる。フランジ部１５の下面（基端１０ｂ）側には、垂下部１６および垂下部１７が設けられる。垂下部１６は、フランジ部１５の下面からＬ字状に垂れ下がっている。垂下部１７も、フランジ部１５の下面からＬ字状に垂れ下がっている。垂下部１６および垂下部１７は、間隔を空けて互いに向かい合っている。
【００１９】
垂下部１６の下面および垂下部１７の下面が、バレル１０の基端１０ｂを構成している。垂下部１６の内側に、収容ガイド部１６ｓが形成される。垂下部１７の内側に、収容ガイド部１７ｓが形成される。
【００２０】
（ストッパー部材３０）
ストッパー部材３０は、バレル１０に対して取り付けられる。具体的には、ストッパー部材３０は、接続部３９ａ，３９ｂ、板状部３９ｃ，３９ｄ、第１延在部３１ａ，３１ｂ、および、第２延在部３２ａ，３２ｂを含む。
【００２１】
板状部３９ｃおよび板状部３９ｄは、間隔を空けて互いに対向するように配置される。接続部３９ａおよび接続部３９ｂも、間隔を空けて互いに対向するように配置される。接続部３９ａ、接続部３９ｂ、板状部３９ｃ、および板状部３９ｄは、全体として四角形状に配置されている。接続部３９ａは、板状部３９ｃおよび板状部３９ｄ同士を接続している。接続部３９ｂも、板状部３９ｃおよび板状部３９ｄ同士を接続している。
【００２２】
第１延在部３１ａは、後述するプランジャー２０の移動方向（図１中の矢印ＡＲ方向）に対して交差する方向において、プランジャー２０に向かって延在するように設けられる。本実施の形態の場合、プランジャー２０の移動方向に対して交差する方向とは、プランジャー２０の移動方向に対して直交する方向である。
【００２３】
第１延在部３１ａは、略Ｌ字状に形成される下延在部３３ａと、板状に形成される上延在部３５ａとを含む。下延在部３３ａおよび上延在部３５ａは、互いに間隔を空けて配置される。下延在部３３ａおよび上延在部３５ａは、板状部３９ｃに対して垂直な方向に延在している（図４も参照）。
【００２４】
下延在部３３ａの延在方向における先端には、当接面３７ａが形成される。当接面３７ａは、バレル１０から遠ざかるにつれて、板状部３９ｃに徐々に近づくように傾斜している。下延在部３３ａは、片持ち梁状に形成される。下延在部３３ａにおいては、板状部３９ｃが固定端を構成する。下延在部３３ａにおいては、当接面３７ａが自由端を構成する。
【００２５】
第１延在部３１ｂは、第１延在部３１ａに対して平行に並んで配置される。第１延在部３１ｂは、第１延在部３１ａと略同様に形成される。
【００２６】
第１延在部３１ｂは、略Ｌ字状に形成される下延在部３３ｂと、板状に形成される上延在部３５ｂとを含む。下延在部３３ｂおよび上延在部３５ｂは、互いに間隔を空けて配置される。下延在部３３ｂおよび上延在部３５ｂは、板状部３９ｃに対して垂直な方向に延在している。
【００２７】
下延在部３３ｂの延在方向における先端には、当接面３７ｂが形成される。当接面３７ｂは、バレル１０から遠ざかるにつれて、板状部３９ｃに徐々に近づくように傾斜している。下延在部３３ｂは、片持ち梁状に形成される。下延在部３３ｂにおいては、板状部３９ｃが固定端を構成する。下延在部３３ｂにおいては、当接面３７ｂが自由端を構成する。
【００２８】
第２延在部３２ａは、後述するプランジャー２０の移動方向（図１中の矢印ＡＲ方向）に対して交差する方向において、プランジャー２０を挟んで第１延在部３１ａの反対側からプランジャー２０に向かって延在するように設けられる。本実施の形態の場合、プランジャー２０の移動方向に対して交差する方向とは、プランジャー２０の移動方向に対して直交する方向である。
【００２９】
第２延在部３２ａは、略Ｌ字状に形成される下延在部３４ａと、板状に形成される上延在部３６ａとを含む。下延在部３４ａおよび上延在部３６ａは、互いに間隔を空けて配置される。下延在部３４ａおよび上延在部３６ａは、板状部３９ｄに対して垂直な方向に延在している（図４も参照）。
【００３０】
下延在部３４ａの延在方向における先端には、当接面３８ａが形成される。当接面３８ａは、バレル１０から遠ざかるにつれて、板状部３９ｄから徐々に遠ざかるように傾斜している。下延在部３４ａは、片持ち梁状に形成される。下延在部３４ａにおいては、板状部３９ｄが固定端を構成する。下延在部３４ａにおいては、当接面３８ａが自由端を構成する。
【００３１】
第２延在部３２ｂは、第２延在部３２ａに対して平行に並んで配置される。第２延在部３２ｂは、第２延在部３２ａと略同様に形成される。
【００３２】
第２延在部３２ｂは、略Ｌ字状に形成される下延在部３４ｂと、板状に形成される上延在部３６ｂとを含む。下延在部３４ｂおよび上延在部３６ｂは、互いに間隔を空けて配置される。下延在部３４ｂおよび上延在部３６ｂは、板状部３９ｄに対して垂直な方向に延在している。
【００３３】
下延在部３４ｂの延在方向における先端には、当接面３８ｂが形成される。当接面３８ｂは、バレル１０から遠ざかるにつれて、板状部３９ｄから徐々に遠ざかるように傾斜している。下延在部３４ｂは、片持ち梁状に形成される。下延在部３４ｂにおいては、板状部３９ｄが固定端を構成する。下延在部３４ｂにおいては、当接面３８ｂが自由端を構成する。
【００３４】
図６は、バレル１０の基端１０ｂ側およびストッパー部材３０を示す底面図である。図６においては、ストッパー部材３０がバレル１０から取り外されている。
【００３５】
図５および図６に示すように、ストッパー部材３０はバレル１０に対して取り付けられる。具体的には、ストッパー部材３０の接続部３９ａが、垂下部１６の収容ガイド部１６ｓ内に嵌め込まれる（矢印ＤＲ１６参照）。ストッパー部材３０の接続部３９ｂが、垂下部１７の収容ガイド部１７ｓ内に嵌め込まれる（矢印ＤＲ１７参照）。ストッパー部材３０がバレル１０に取り付けられる際には、垂下部１６，１７の弾性変形および接続部３９ａ，３９ｂの弾性変形が利用されるとよい。
【００３６】
図１〜図３を再び参照して、ストッパー部材３０が、バレル１０に対して取り付けられる。プランジャー２０の移動方向（図１中の矢印ＡＲ方向）において、ストッパー部材３０のバレル１０に対する移動は規制されている。
【００３７】
プランジャー２０の移動方向（図１中の矢印ＡＲ方向）に対して交差する方向（矢印ＤＲ方向）において、ストッパー部材３０はバレル１０に対して進退移動することができる。ストッパー部材３０の第１延在部３１ａ，３１ｂおよびストッパー部材３０の第２延在部３２ａ，３２ｂは、第１延在部３１ａ，３１ｂおよび第２延在部３２ａ，３２ｂの間に次述するプランジャー２０を配置した状態で、矢印ＤＲ方向に一体的に進退移動することができる。
【００３８】
（プランジャー２０）
図１，図２および図４を参照して、プランジャー２０は、一端２０ａおよび他端２０ｂを有する。プランジャー２０は、一端２０ａ側から他端２０ｂ側に向かって略棒状に形成される。プランジャー２０の一端２０ａには、ガスケット２７が取り付けられる。プランジャー２０の他端２０ｂには、円板状の押圧部２６が設けられる。
【００３９】
プランジャー２０は、ガスケット２７とともに、一端２０ａ側からバレル１０の内部１０ｓに差し込まれる。プランジャー２０は、バレル１０の内部１０ｓにおいて、矢印ＡＲ方向（図１参照）に往復移動することができる。
【００４０】
図７は、プランジャー２０を示す斜視図である。図７に示すように、プランジャー２０は、板状のリブ片２５ａ〜２５ｄを有する。リブ片２５ａ〜２５ｄは、プランジャー２０の一端２０ａ側から押圧部２６に向かって延在する。リブ片２５ａ〜２５ｄは、９０°の間隔を空けて並んでいる。
【００４１】
図４および図７に示すように、リブ片２５ａとリブ片２５ｄとの間には、突起部２１ａ（第１突起部）および突起部２４ａ（第４突起部）が設けられる。突起部２１ａおよび突起部２４ａは、それぞれ略錐状に形成される。本実施の形態の場合、突起部２１ａおよび突起部２４ａは、扇形状の底面を有する錐状に形成される。突起部２１ａおよび突起部２４ａは、三角形状の底面を有する三角錐状に形成されていてもよい。
【００４２】
突起部２１ａおよび突起部２４ａは、プランジャー２０の一端２０ａ（図４参照）とプランジャー２０の他端２０ｂ（図４参照）との間に位置する。突起部２４ａは、プランジャー２０の一端２０ａとプランジャー２０の他端２０ｂとの間において、突起部２１ａよりもプランジャー２０の一端２０ａ側に位置する。突起部２１ａおよび突起部２４ａは、他端２０ｂ側から一端２０ａ側に向かうにつれて、徐々に細くなるようにテーパー状に形成される。
【００４３】
リブ片２５ｄを挟んで突起部２１ａの反対側には、突起部２１ｂが設けられる。リブ片２５ｄを挟んで突起部２４ａの反対側には、突起部２４ｂが設けられる。突起部２１ｂおよび突起部２４ｂは、リブ片２５ｄとリブ片２５ｃとの間に位置している。突起部２１ｂおよび突起部２４ｂも、それぞれ略錐状に形成される。突起部２１ｂおよび突起部２４ｂも、他端２０ｂ側から一端２０ａ側に向かうにつれて、徐々に細くなるようにテーパー状に形成される。
【００４４】
リブ片２５ａとリブ片２５ｂとの間には、突起部２２ａ（第２突起部）および突起部２３ａ（第３突起部）が設けられる。突起部２２ａおよび突起部２３ａも、それぞれ略錐状に形成される。
【００４５】
突起部２２ａおよび突起部２３ａも、プランジャー２０の一端２０ａとプランジャー２０の他端２０ｂとの間に位置する。突起部２３ａは、プランジャー２０の一端２０ａとプランジャー２０の他端２０ｂとの間において、突起部２２ａよりもプランジャー２０の一端２０ａ側に位置する。突起部２２ａおよび突起部２３ａは、一端２０ａ側から他端２０ｂ側に向かうにつれて、徐々に細くなるようにテーパー状に形成される。突起部２１ａおよび突起部２３ａは、リブ片２５ａを挟んで略対向している。
【００４６】
リブ片２５ｂを挟んで突起部２２ａの反対側には、突起部２２ｂが設けられる。リブ片２５ｂを挟んで突起部２３ａの反対側には、突起部２３ｂが設けられる。突起部２２ｂおよび突起部２３ｂは、リブ片２５ｂとリブ片２５ｃとの間に位置している。突起部２２ｂおよび突起部２３ｂも、それぞれ略錐状に形成される。突起部２２ｂおよび突起部２３ｂも、一端２０ａ側から他端２０ｂ側に向かうにつれて、徐々に細くなるようにテーパー状に形成される。突起部２１ｂおよび突起部２３ｂは、リブ片２５ｃを挟んで略対向している。
【００４７】
図３および図４を再び参照して、鼻腔投与容器１００が組み立てられる際には、まず、ストッパー部材３０がバレル１０に対して取り付けられる。次に、プランジャー２０がバレル１０の内部１０ｓの内部に差し込まれる。図３に示すように、第１延在部３１ａおよび第１延在部３１ｂの間に、プランジャー２０のリブ片２５ｄが配置される。第２延在部３２ａおよび第２延在部３２ｂの間に、プランジャー２０のリブ片２５ｂが配置される。
【００４８】
上述のとおり、第１延在部３１ａ，３１ｂおよび第２延在部３２ａ，３２ｂは、第１延在部３１ａ，３１ｂおよび第２延在部３２ａ，３２ｂの間にプランジャー２０を配置した状態で、矢印ＤＲ方向（図１〜図３参照）に一体的に進退移動することができる。プランジャー２０の移動方向（図１中の矢印ＡＲ方向）において、ストッパー部材３０のバレル１０に対する移動は規制されている。鼻腔投与容器１００は、以上のように構成される。
【００４９】
（鼻腔投与容器１００の動作）
図８〜図２２を参照して、鼻腔投与容器１００の動作について説明する。鼻腔投与容器１００の動作については、突起部２１ａ〜２４ａ、第１延在部３１ａおよび第２延在部３２ａの各動作に基づき説明する。突起部２１ｂ〜２４ｂ、第１延在部３１ｂおよび第２延在部３２ｂは、突起部２１ａ〜２４ａ、第１延在部３１ａおよび第２延在部３２ａとそれぞれ同様に動作する。
【００５０】
（第１状態Ｓ１：初期状態）
図８に示すように、鼻腔投与容器１００が組み立てられることによって、鼻腔投与容器１００の第１状態Ｓ１（初期状態）が得られる。第１状態Ｓ１においては、プランジャー２０はバレル１０に対して深く差し込まれている。バレル１０の先端１０ａには、薬液を貯留した容器（図示せず）が嵌め込まれる。
【００５１】
鼻腔投与容器１００の内部１０ｓに薬液（図９における薬液ＬＱを参照）を入れるために、プランジャー２０は、バレル１０に対して矢印ＡＲ１方向に引き抜かれる。プランジャー２０の動作に合わせて、ガスケット２７も矢印ＡＲ１方向に移動する。プランジャー２０の突起部２２ａは、ストッパー部材３０の第２延在部３２ａに徐々に接近する。
【００５２】
（第２状態Ｓ２）
図９を参照して、プランジャー２０は、バレル１０に対して矢印ＡＲ２方向にさらに引き抜かれる。薬液ＬＱは、開口部１１を通して、バレル１０の内部１０ｓに向かって吸引される。突起部２２ａは、第２延在部３２ａの当接面３８ａに当接する（図９に示す状態）。
【００５３】
（第３状態Ｓ３）
図１０を参照して、プランジャー２０は、バレル１０に対して矢印ＡＲ３ａ方向にさらに引き抜かれる。薬液ＬＱは、バレル１０の内部１０ｓに向かって引続き吸引される。突起部２２ａの表面と第２延在部３２ａの当接面３８ａとは、互いに摺接する。第２延在部３２ａは、突起部２２ａによって（図１０紙面下方に向かって）押圧される。第２延在部３２ａは、突起部２２ａとの摺接によって後退移動する。
【００５４】
第２延在部３２ａの後退移動にあわせて、ストッパー部材３０の全体が、矢印ＡＲ３ｂ方向に移動する。第１延在部３１ａは、同方向に前進移動する。第１延在部３１ａは、突起部２１ａの進行方向前方に移動する。その後、突起部２１ａは、第１延在部３１ａの下延在部３３ａに当接する（図１０に示す状態）。
【００５５】
（第４状態Ｓ４）
図１１を参照して、プランジャー２０は、バレル１０に対して矢印ＡＲ４ａ方向にさらに引き抜かれる。薬液ＬＱは、バレル１０の内部１０ｓに向かって引続き吸引される。第１延在部３１ａの下延在部３３ａは、突起部２１ａによって矢印ＡＲ４ｂ方向に押圧される。第１延在部３１ａの下延在部３３ａ（第１延在部３１ａの一部）は、同方向に弾性変形する（図１１に示す状態）。
【００５６】
突起部２１ａが下延在部３３ａを通過することによって、下延在部３３ａは突起部２１ａの押圧から開放される。下延在部３３ａは、元の状態にまで復帰する。
【００５７】
（第５状態Ｓ５）
図１２を参照して、プランジャー２０は、バレル１０に対して矢印ＡＲ５ａ方向にさらに引き抜かれる。薬液ＬＱは、バレル１０の内部１０ｓに向かって引続き吸引される。プランジャー２０の動作に合わせて、プランジャー２０の突起部２４ａは、第１延在部３１ａの下延在部３３ａに徐々に接近する。その後、第１延在部３１ａの下延在部３３ａは、突起部２４ａによって矢印ＡＲ５ｂ方向に押圧される。第１延在部３１ａの下延在部３３ａ（第１延在部３１ａの一部）は、同方向に弾性変形する（図１２に示す状態）。
【００５８】
突起部２４ａが下延在部３３ａを通過することによって、下延在部３３ａは突起部２４ａの押圧から開放される。下延在部３３ａは、元の状態にまで復帰する。
【００５９】
（第６状態Ｓ６）
図１３を参照して、プランジャー２０は、バレル１０に対して矢印ＡＲ６方向にさらに引き抜かれる。バレル１０の内部１０ｓには、所定の量の薬液ＬＱが入り込む。その後、薬液ＬＱの吸引が完了する。ここで、薬液ＬＱがバレル１０の内部１０ｓに吸引される際、バレル１０の内部１０ｓには、空気ＡＡも入り込むことがある（図１２に示す状態）。
【００６０】
（第７状態Ｓ７：プライミング動作）
図１４を参照して、鼻腔に投与されるべき薬液ＬＱの量を所定の値に規定することと、（必要に応じて）バレル１０の内部１０ｓに入り込んだ空気ＡＡを抜くこととを目的として、プライミングという動作（プライミング動作）が実施される。
【００６１】
具体的には、プランジャー２０がバレル１０の内部に押し込まれる（矢印ＡＲ７参照）。プランジャー２０の動作に合わせて、ガスケット２７も矢印ＡＲ７方向に移動する。空気ＡＡは、バレル１０の内部１０ｓから徐々に排出される。プランジャー２０の突起部２４ａは、第１延在部３１ａの下延在部３３ａに徐々に接近する。
【００６２】
（第８状態Ｓ８）
図１５を参照して、プランジャー２０は、バレル１０の内部にさらに押し込まれる（矢印ＡＲ８参照）。空気ＡＡは、バレル１０の内部１０ｓから引続き排出される。突起部２４ａは、第１延在部３１ａの当接面３７ａに当接する（図１５に示す状態）。
【００６３】
（第９状態Ｓ９）
図１６を参照して、プランジャー２０は、バレル１０の内部にさらに押し込まれる（矢印ＡＲ９ａ参照）。空気ＡＡは、バレル１０の内部１０ｓから引続き排出される。突起部２４ａの表面と第１延在部３１ａの当接面３７ａとは、互いに摺接する。第１延在部３１ａは、突起部２４ａによって（図１６紙面上方に向かって）押圧される。第１延在部３１ａは、突起部２４ａとの摺接によって後退移動する。
【００６４】
第１延在部３１ａの後退移動に合わせて、ストッパー部材３０の全体が、矢印ＡＲ９ｂ方向に移動する。第２延在部３２ａは、同方向に前進移動する。第２延在部３２ａは、突起部２３ａの進行方向前方に移動する。
【００６５】
（第１０状態Ｓ１０）
図１７を参照して、プランジャー２０は、バレル１０の内部にさらに押し込まれる（矢印ＡＲ１０ａ参照）。空気ＡＡは、バレル１０の内部１０ｓから排出される。第２延在部３２ａは、矢印ＡＲ１０ｂ方向にさらに前進移動する。その後、突起部２３ａは、第２延在部３２ａの下延在部３４ａに当接する（図１７に示す状態）。
【００６６】
突起部２３ａが第２延在部３２ａの下延在部３４ａに当接することによって、プランジャー２０の移動は停止する。プライミング動作が完了する。バレル１０の内部１０ｓに混入していた空気は、バレル１０の外部に排出される。鼻腔に投与されるべき薬液ＬＱの量は、所定の値に規定される。
【００６７】
（第１１状態Ｓ１１）
図１８を参照して、鼻腔に投与されるべき薬液ＬＱの量が所定の値に規定された後、ストッパー部材３０は、鼻腔投与容器１００の使用者等によって矢印ＡＲ１１方向に移動される。第１延在部３１ａは、前進移動する。第２延在部３２ａは、後退移動する。第２延在部３２ａが後退移動することによって、第２延在部３２ａと突起部２３ａとの相互の当接状態は解除される（図１８に示す状態）。
【００６８】
（第１２状態Ｓ１２：第１投与）
図１９を参照して、第２延在部３２ａと突起部２３ａとの相互の当接状態が解除された後、バレル１０の先端１０ａに設けられた噴霧ノズル１８（図１参照）が一方の鼻腔の中に配置される。この状態で、押圧部２６を利用して、プランジャー２０はバレル１０の内部に強く押し込まれる（矢印ＡＲ１２ａ参照）。プランジャー２０の動作に合わせて、ガスケット２７は、バレル１０の内部に入り込む。薬液ＬＱは、噴霧ノズル１８から噴出された後、鼻腔の中に投与される。
【００６９】
プランジャー２０がバレル１０の内部に押し込まれる際、突起部２１ａの表面と第１延在部３１ａの当接面３７ａとは、互いに摺接する。第１延在部３１ａは、突起部２１ａによって（図１９紙面上方向に向かって）押圧される。第１延在部３１ａは、突起部２１ａとの摺接によって後退移動する。
【００７０】
第１延在部３１ａの後退移動に合わせて、ストッパー部材３０の全体が、矢印ＡＲ１２ｂ方向に移動する。第２延在部３２ａは、同方向に前進移動する。第２延在部３２ａは、突起部２２ａの進行方向前方に移動する。
【００７１】
（第１３状態Ｓ１３）
図２０を参照して、プランジャー２０は、バレル１０の内部にさらに押し込まれる（矢印ＡＲ１３ａ参照）。薬液ＬＱは、引続き鼻腔の中に投与される。第２延在部３２ａは、矢印ＡＲ１３ｂ方向にさらに前進移動する。その後、突起部２２ａは、第２延在部３２ａの下延在部３４ａに当接する（図２０に示す状態）。
【００７２】
突起部２２ａが第２延在部３２ａの下延在部３４ａに当接することによって、プランジャー２０の移動は停止する。第１投与が完了する。プランジャー２０のバレル１０に対するストローク量が、第１回目の薬液ＬＱの投与量を規定している。
【００７３】
（第１４状態Ｓ１４）
図２１を参照して、第１投与の完了後、ストッパー部材３０は、鼻腔投与容器１００の使用者等によって矢印ＡＲ１４方向に移動される。第１延在部３１ａは、前進移動する。第２延在部３２ａは、後退移動する。第２延在部３２ａが後退移動することによって、第２延在部３２ａと突起部２２ａとの相互の当接状態は解除される（図２１に示す状態）。
【００７４】
（第１５状態Ｓ１５：第２投与）
図２２を参照して、第２延在部３２ａと突起部２２ａとの相互の当接状態が解除された後、バレル１０の先端１０ａに設けられた噴霧ノズル１８（図１参照）が他方の鼻腔の中に配置される。この状態で、押圧部２６を利用して、プランジャー２０はバレル１０の内部に強く押し込まれる（矢印ＡＲ１５参照）。プランジャー２０の動作に合わせて、ガスケット２７は、バレル１０の内部に入り込む。薬液ＬＱは、噴霧ノズル１８から噴出された後、鼻腔の中に投与される。
【００７５】
ガスケット２７がバレル１０の内周面に当接することによって、プランジャー２０の移動は停止する。第２投与が完了する。プランジャー２０は、押圧部２６がフランジ部１５の下端等に当接するまで前進するように構成されてもよい。プランジャー２０のバレル１０に対するストローク量が、第２回目の薬液ＬＱの投与量を規定している。鼻腔投与容器１００は以上のように動作するとともに、鼻腔投与容器１００による薬液ＬＱの投与は以上のように実施される。
【００７６】
（作用・効果）
鼻腔投与容器１００においては、上述のとおり、ストッパー部材３０に第１延在部３１ａおよび第２延在部３２ａが設けられる。プランジャー２０に突起部２１ａおよび突起部２２ａが設けられる。第１投与の際には、これらの動作によってプランジャー２０が停止する。鼻腔投与容器１００によれば、簡単且つ適切に、薬液を一方の鼻腔に投与することができる。
【００７７】
鼻腔投与容器１００においては、上述のとおり、プランジャー２０に突起部２３ａが設けられる。プライミング動作の際には、突起部２３ａによってプランジャー２０が停止する。鼻腔投与容器１００によれば、簡単且つ適切に、薬液を一方の鼻腔に投与するための準備をすることができる。
【００７８】
鼻腔投与容器１００においては、上述のとおり、プランジャー２０に突起部２４ａが設けられる。プライミング動作の際には、突起部２４ａによって動作される突起部２３ａによりプランジャー２０が停止する。鼻腔投与容器１００によれば、簡単且つ適切に、薬液を一方の鼻腔に投与するための準備をすることができる。
【００７９】
以上の実施の形態において、突起部２３ａ，２３ｂは、必要に応じて設けられるとよい。突起部２４ａ，２４ｂも、必要に応じて設けられるとよい。ストッパー部材３０における第１延在部３１ｂも、必要に応じて設けられるとよい。ストッパー部材３０における第２延在部３２ｂも、必要に応じて設けられるとよい。突起部２１ｂ〜２４ｂについても同様である。
【００８０】
以上、本発明に基づいた実施の形態について説明したが、今回開示された実施の形態はすべての点で例示であって制限的なものではない。本発明の技術的範囲は特許請求の範囲によって示され、特許請求の範囲と均等の意味および範囲内でのすべての変更が含まれることが意図される。
【符号の説明】
【００８１】
１０  バレル、１０ａ  先端、１０ｂ  基端、１０ｓ  内部、１１，１２  開口部、１５  フランジ部、１６，１７  垂下部、１６ｓ，１７ｓ  収容ガイド部、１８  噴霧ノズル、１９  噴出口、２０  プランジャー、２０ａ  一端、２０ｂ  他端、２１ａ，２１ｂ，２２ａ，２２ｂ，２３ａ，２３ｂ，２４ａ，２４ｂ  突起部、２５ａ，２５ｂ，２５ｃ，２５ｄ  リブ片、２６  押圧部、２７  ガスケット、３０  ストッパー部材、３１ａ，３１ｂ  第１延在部、３２ａ，３２ｂ  第２延在部、３３ａ，３３ｂ，３４ａ，３４ｂ  下延在部、３５ａ，３５ｂ，３６ａ，３６ｂ  上延在部、３７ａ，３７ｂ，３８ａ，３８ｂ  当接面、３９ａ，３９ｂ  接続部、３９ｃ，３９ｄ  板状部、１００  鼻腔投与容器、ＡＡ  空気、ＡＲ７，ＡＲ８，ＡＲ９ａ，ＡＲ１０ａ，ＡＲ１２ａ，ＡＲ１３ａ，ＡＲ１５，ＤＲ１６，ＤＲ１７，ＤＲ１８  矢印、ＬＱ  薬液、Ｓ１  第１状態、Ｓ２  第２状態、Ｓ３  第３状態、Ｓ４  第４状態、Ｓ５  第５状態、Ｓ６  第６状態、Ｓ７  第７状態、Ｓ８  第８状態、Ｓ９  第９状態、Ｓ１０  第１０状態、Ｓ１１  第１１状態、Ｓ１２  第１２状態、Ｓ１３  第１３状態、Ｓ１４  第１４状態、Ｓ１５  第１５状態。
【図１】
0005747722.tif 000002
【図２】
0005747722.tif 000003
【図３】
0005747722.tif 000004
【図４】
0005747722.tif 000005
【図５】
0005747722.tif 000006
【図６】
0005747722.tif 000007
【図７】
0005747722.tif 000008
【図８】
0005747722.tif 000009
【図９】
0005747722.tif 000010
【図１０】
0005747722.tif 000011
【図１１】
0005747722.tif 000012
【図１２】
0005747722.tif 000013
【図１３】
0005747722.tif 000014
【図１４】
0005747722.tif 000015
【図１５】
0005747722.tif 000016
【図１６】
0005747722.tif 000017
【図１７】
0005747722.tif 000018
【図１８】
0005747722.tif 000019
【図１９】
0005747722.tif 000020
【図２０】
0005747722.tif 000021
【図２１】
0005747722.tif 000022
【図２２】
0005747722.tif 000023